(57)【要約】【課題】符号化した映像信号を復号し、更に異なる符号化形式を用いて再符号化を行う場合において、最初の符号化の際に発生したブロック歪みが伝播することを軽減する。【解決手段】再符号化装置が、送信されてきた映像信号に重畳されている映像符号化情報から量子化情報を抽出する。抽出された量子化情報を量子化パラメータに変換する。前記量子化パラメータに基づいて復号化装置より送信されてきた映像信号に対してデブロックフィルタ処理を行う。デブロックフィルタ処理が行われた前記映像信号を符号化する。【選択図】図１
2009055416.tif 000002
【特許請求の範囲】
【請求項１】
映像符号化情報が重畳された映像信号を再符号化する、映像再符号化方法であって、
映像信号に重畳されている映像符号化情報から量子化情報を抽出する、抽出ステップと、
前記抽出ステップにおいて抽出された量子化情報を量子化パラメータに変換する、変換ステップと、
前記量子化パラメータに基づいて前記送信ステップにより送信されてきた映像信号に対してデブロックフィルタ処理を行う、デブロックフィルタ処理ステップと、
デブロックフィルタ処理が行われた前記映像信号を符号化する、符号化ステップと、
を備えることを特徴とする映像再符号化方法。
【請求項２】
映像符号化情報が重畳された映像信号を再符号化する、映像再符号化装置であって、
映像信号に重畳されている映像符号化情報から量子化情報を抽出する、抽出手段と、
前記抽出手段において抽出された量子化情報を量子化パラメータに変換する、変換手段と、
前記量子化パラメータに基づいて前記送信手段により送信されてきた映像信号に対してデブロックフィルタ処理を行う、デブロックフィルタ処理手段と、
デブロックフィルタ処理が行われた前記映像信号を符号化する、符号化手段と、
を備えることを特徴とする映像再符号化装置。
【請求項３】
映像符号化情報が重畳された映像信号を再符号化する、映像再符号化プログラムであって、
映像信号に重畳されている映像符号化情報から量子化情報を抽出する、抽出機能と、
前記抽出機能において抽出された量子化情報を量子化パラメータに変換する、変換機能と、
前記量子化パラメータに基づいて前記送信機能により送信されてきた映像信号に対してデブロックフィルタ処理を行う、デブロックフィルタ処理機能と、
デブロックフィルタ処理が行われた前記映像信号を符号化する、符号化機能と、
をコンピュータに実現させることを特徴とする映像再符号化プログラム。
【発明の詳細な説明】
【技術分野】
【０００１】
本発明は符号化した映像信号を復号し、更に異なる符号化形式を用いて再符号化を行う映像再符号化方法、映像再符号化装置及び映像再符号化プログラムに関する。
【背景技術】
【０００２】
近年、地上デジタル放送が行われることが一般的となり、放送の際に映像を符号化する方法としてＩＳＯ／ＩＥＣ１３８１８−２（以下ＭＰＥＧ２と記載する。）の規定に準拠した映像符号化方法が用いられている。また、いわゆるワンセグ（携帯電話・移動体端末向けの1セグメント部分受信サービス）の利用も普及している。このような状況もあり、ワンセグに利用されている符号化方法である、ＩＴＵ−Ｔ  Ｒｅｃ．  Ｈ．２６４｜ＩＳＯ／ＩＥＣ１４４９６−Ｓ１００３（以下Ｈ．２６４と記載する。）の規定に準拠した映像符号化方法も広く用いられている（例えば特許文献１参照）。
【０００３】
上述したような背景から、一度符号化された映像を復号し、更に異なる符号化形式を用いて再符号化を行うような状況の発生が考えられる。
【０００４】
具体的には、地上デジタル放送を再配信するシステムにおいて、ＭＰＥＧ２で符号化された映像を、一旦デコードし、より符号化効率の良いＨ．２６４で再符号化し再配信を行うことが考えられる。
【特許文献１】特開２００７−１２９３６９号公報
【発明の開示】
【発明が解決しようとする課題】
【０００５】
この点、上述したＭＰＥＧ２の規定に準拠した映像符号化方法など、ブロック分割を行う映像符号化においては、映像がブロック上に分割されたように見えるノイズ（以下ブロック歪みと記載する。）が発生することが知られている。なお、このようなブロック歪みは特に圧縮率が高い時などに発生することが多い。
そのようなＭＰＥＧ２でブロック歪みが発生した映像を、そのままＨ．２６４で再符号化した場合は、ＭＰＥＧ２で発生したブロック歪みがそのまま再配信されてしまい、符号化効率の良いＨ．２６４で再符号化したメリットが少なくなる。
【０００６】
そこで、本発明は符号化した映像信号を復号し、更に異なる符号化形式を用いて再符号化を行う場合において、最初の符号化の際に発生したブロック歪みが伝播することを軽減可能な映像再符号化方法を提供することを目的とする。
【課題を解決するための手段】
【０００７】
本発明の第１の観点によれば、方法として映像符号化情報が重畳された映像信号を再符号化する、再符号化方法であって、映像信号に重畳されている映像符号化情報から量子化情報を抽出する、抽出ステップと、前記抽出ステップにおいて抽出された量子化情報を量子化パラメータに変換する、変換ステップと、前記量子化パラメータに基づいて前記送信ステップにより送信されてきた映像信号に対してデブロックフィルタ処理を行う、デブロックフィルタ処理ステップと、デブロックフィルタ処理が行われた前記映像信号を符号化する、符号化ステップと、を備えることを特徴とする再符号化方法が提供される。
【０００８】
更に、本発明の第２の観点によれば、装置として映像符号化情報が重畳された映像信号を再符号化する、再符号化装置であって、映像信号に重畳されている映像符号化情報から量子化情報を抽出する、抽出手段と、前記抽出手段において抽出された量子化情報を量子化パラメータに変換する、変換手段と、前記量子化パラメータに基づいて前記送信手段により送信されてきた映像信号に対してデブロックフィルタ処理を行う、デブロックフィルタ処理手段と、デブロックフィルタ処理が行われた前記映像信号を符号化する、符号化手段とを備えることを特徴とする再符号化装置が提供される。
【０００９】
更に、本発明の第３の観点によれば、プログラムとして映像符号化情報が重畳された映像信号を再符号化する、再符号化プログラムであって、映像信号に重畳されている映像符号化情報から量子化情報を抽出する、抽出機能と、前記抽出機能において抽出された量子化情報を量子化パラメータに変換する、変換機能と、前記量子化パラメータに基づいて前記送信機能により送信されてきた映像信号に対してデブロックフィルタ処理を行う、デブロックフィルタ処理機能と、デブロックフィルタ処理が行われた前記映像信号を符号化する、符号化機能と、をコンピュータに実現させることを特徴とする映像再符号化プログラムが提供される。
【発明の効果】
【００１０】
本発明によれば、一度復号化した映像信号に対し、量子化パラメータに応じたデブロックフィルタ処理を行った後に、映像符号化を実施するのであるから、最初の符号化の際に発生したブロック歪みが伝播することを軽減することが可能となる。
【発明を実施するための最良の形態】
【００１１】
本発明の実施形態の概略につき説明する。本発明の実施形態は、符号化された映像信号を復号化した映像信号に、符号化情報を付加した、映像符号化情報付き映像信号を入力とする。そして、映像再符号化を実施する際に、映像符号化情報を利用して以下で述べる方法で処理を実施し、入力された映像信号に発生しているブロック歪みを軽減した後に、再度映像符号化を実施することにより、ブロック歪みの伝播を軽減するというものである。
【００１２】
以下、図１を用いて、本発明の実施形態を詳細に説明する。
【００１３】
本発明の実施形態は、映像復号化装置１００と映像再符号化装置２００を備える。
【００１４】
また、映像復号化装置１００は、映像復号化部１０１と映像符号化情報重畳部１０２を備える。
【００１５】
更に、映像再符号化装置２００は、映像符号化情報抽出部２０１、映像符号化情報解析部２０２、ブロック歪み軽減処理部２０３及び映像符号化部２０４を備える。
【００１６】
映像復号化部１０１は、ＭＰＥＧ２に準拠し符号化した映像符号化信号を復号する機能を備える部分である。また、映像符号化情報重畳部１０２は、映像復号化部１０１により復号された信号に対しＳＭＰＴＥ（Society of Motion Picture and Television Engineers）  ３１９Ｍにおいて定義されている方式に準拠した映像符号化情報（本発明における「再符号化情報」に相当する。）を重畳する機能を備える部分である。
【００１７】
映像符号化情報抽出部２０１は、映像符号化情報重畳部１０２から送信された映像符号化情報付き映像信号から映像符号化情報を抽出し、解析する機能を備える部分である。映像符号化情報解析部２０２は、映像符号化情報を解析しＭＰＥＧ２で規定されているｑｕａｎｔｉｚｅｒ  ｓｃａｌｅ  ｃｏｄｅ（以下Ｑ値と記載する。）を抽出する機能を備える部分である。なお、Ｑ値は本発明における「量子化情報」に相当する。ブロック歪み軽減処理部２０３は、Ｑ値に基づいて映像符号化情報のブロック歪み強度を推定しＭＰＥＧ２で規定されているマクロブロック（以下ＭＢと記載する。）境界に対しＨ．２６４にて規定されているデブロックフィルタ処理を行う機能を備える部分である。映像符号化部２０４は、Ｈ．２６４の規定に準拠し映像符号化を行う機能を備える部分である。
【００１８】
次に図１を用いて、本発明の実施形態の動作と、信号の流れについて説明する。
【００１９】
映像復号化装置１００は、ＭＰＥＧ２に準拠し映像信号を符号化した映像符号化信号Ｓ１を入力が有った場合に、まず映像復号化部１０１にて復号化処理を行い、映像信号Ｓ２を映像符号化情報重畳部１０２に出力する（ステップＳ１０１）。
【００２０】
映像符号化情報重畳部１０２では、ＳＭＰＴＥ  ３１９Ｍにおいて定義されている方式に準拠して、映像符号化信号Ｓ１から映像符号化情報を生成する。更に、映像信号Ｓ２に映像符号化情報を重畳することにより、映像符号化情報付き映像信号Ｓ３を生成する（ステップＳ１０２）。そして映像復号化装置１００は映像符号化情報付き映像信号Ｓ３を映像再符号化装置２００に出力する（ステップＳ１０３）。
【００２１】
映像再符号化装置２００は、映像符号化情報付き映像信号Ｓ３を入力とする。まず、映像符号化情報抽出部２０１が映像符号化情報付き映像信号Ｓ３から映像符号化情報Ｓ４を抽出し映像符号化情報解析部２０２に出力する（ステップＳ１０４）。併せて、映像信号Ｓ５をブロック歪み軽減処理部２０３に出力する（ステップＳ１０５）。
【００２２】
映像符号化情報解析部２０２では、映像符号化情報Ｓ４よりＭＰＥＧ２で規定されているＱ値を抽出しＱ値情報Ｓ６としてブロック歪み軽減処理部２０３に出力する（ステップＳ１０６）。
【００２３】
ブロック歪み軽減処理部２０３では入力されたＱ値情報Ｓ６をＨ．２６４で規定されている量子化パラメータ（以下ＱＰ値と記載する。）に変換する。そして、ＱＰ値に応じＨ．２６４で規定されたデブロックフィルタ処理を映像信号Ｓ５に行い、デブロックフィルタ処理実施済み映像信号Ｓ７を映像符号化部２０４に出力する（ステップＳ１０７）。
【００２４】
映像符号化部２０４はデブロックフィルタ処理実施済み映像信号Ｓ７に対し、Ｈ．２６４に準拠した映像符号化を実施し、Ｈ．２６４に準拠した映像符号化信号Ｓ８を出力する（ステップＳ１０８）。
【００２５】
［他の実施形態］
上述した実施形態では、映像符号化部２０４がステップＳ１０８において、Ｈ．２６４に準拠した映像符号化を実施した。この点、映像符号化方式として、ＭＰＥＧ２に準拠した符号化方式を使用することも可能である。
【００２６】
以上説明した動作により得られる本発明の実施形態の効果は以下である。
【００２７】
第１の効果は、ＭＰＥＧ２で符号化した映像符号化信号をＨ．２６４へトランスコードする場合に、ＭＰＥＧ２符号化で発生したブロック歪みの伝播を軽減することが可能となることである。
【００２８】
一度、復号化した映像信号に対し、量子化パラメータに応じたＨ．２６４で規定されたデブロックフィルタ処理を行った後に、Ｈ．２６４に準拠した映像符号化を実施するためである。
【００２９】
第２の効果は、本発明の実施形態を実現するためにデブロックフィルタ処理回路を新たに設ける必要がなく、容易に実現可能な点である。
【００３０】
Ｈ．２６４符号化部にはデブロックフィルタ処理回路は実装されているため、新規に処理回路を実装する必要がないためである。
【００３１】
なお、映像再符号化装置は、ハードウェア、ソフトウェア又はこれらの組合せにより実現することができる。
【図面の簡単な説明】
【００３２】
【図１】本発明の実施形態の基本的構成を表す図である。
【図２】本発明の実施形態の動作を表すフローチャートである。
【符号の説明】
【００３３】
１００  映像復号化装置
１０１  映像復号化部
１０２  映像符号化情報重畳部
２００  映像再符号化装置
２０１  映像符号化情報抽出部
２０２  映像符号化情報解析部
２０３  ブロック歪み軽減処理部
２０４  映像符号化部
【図１】
2009055416.tif 000003
【図２】
2009055416.tif 000004